(57)【要約】【課題】液体容器において、複雑な構成のキャップ部材を設けることなく、高い蒸散防止性を確保する。【解決手段】液体容器は、上面に開口２０を有する容器本体２を備える。エラストマーからなるフィルム４を、液体５を収容した容器本体２の開口２０全体を覆うように、容器本体２０に貼着する。このフィルム４の容器本体５への貼着は、フィルム４を容器本体２の開口２０の縁２１に熱溶着することで行われる。上記構成からなる液体容器では、液体５を採取するための採取針をフィルム４に突刺・抜出したとしても、エラストマーの高い弾性と復元性により、突刺により形成された孔は閉じる。これにより、採取針の突刺・抜出後も、蒸散防止性を持続させることができる。【選択図】図２
0003167723.tif 000002
【実用新案登録請求の範囲】
【請求項１】
開口を有する容器本体と、前記開口に設けられた気密性のあるフィルムとを備え、
採取針を前記フィルムに突き刺して前記開口に挿入し、前記容器本体内の液体を採取可能な液体容器であって、
前記フィルムは、エラストマーから成り、前記開口全体を覆うように前記容器本体に貼着されることによって、前記開口を密閉することを特徴とする液体容器。
【請求項２】
前記フィルムが、前記開口の縁に貼着されることを特徴とする請求項１に記載の液体容器。
【請求項３】
前記フィルムが、溶着されていることを特徴とする請求項１または請求項２に記載の液体容器。
【請求項４】
前記フィルムを保護する保護部材を備え、
前記保護部材は、十字状のスリットを備え、前記十字状のスリットの中心部に前記採取針を通すことを特徴とする請求項１から請求項３のいずれか１項に記載の液体容器。
【考案の詳細な説明】
【技術分野】
【０００１】
本考案は、試薬や試料などの液体の蒸散を防止する液体容器に関する。
【背景技術】
【０００２】
従来から、化学や医療の分野では、薬品、検査対象となる試料などの液体を収容し、保存するための密閉性のある液体容器が用いられ、この容器に設けられた弾性体に採取針を突き刺し、容器内に収容された液体を採取する。
【０００３】
このような容器では、採取針の穿刺により弾性体に孔、亀裂が形成されて、容器の密閉性が失われ、容器内の液体がこの孔、亀裂から漏出または蒸発し、測定する試料の濃度などの条件が変化する虞がある。また、収容する液体によっては、容器からの漏出により、汚染などの問題が生じる虞もある。そのため、採取針を突刺し、抜出した後も、高い蒸散防止性を維持できる液体容器が必要とされている。
【０００４】
例えば、特許文献１では、キャップと、容器本体とで構成された液漏れを防止する液体容器が記載されている。この液体容器では、採取針を突き刺すための弾性体をキャップの上面に設け、このキャップを容器本体へ取り付ける構成により、液体容器の液密封止を行っている。
【０００５】
上記のような液体容器の場合、キャップは、弾性体との間に隙間ができないように、さらに取り付けた際に容器本体との間にも隙間ができないようにし、液密封止を確保できるような構成でなければならない。しかしながら、このためにはキャップの構成が複雑になることは避けられず、結果、液体容器全体としてのコストが高くなるという問題がある。
【先行技術文献】
【特許文献】
【０００６】
【特許文献１】特表２００３−５２２３１８号公報
【考案の概要】
【考案が解決しようとする課題】
【０００７】
そこで、本考案が解決しようする課題は、複雑な構成のキャップを設けることなく、簡単な構成で高い蒸散防止性を維持できる液体容器を提供する。
【課題を解決するための手段】
【０００８】
上記課題を解決するために、本考案に係る液体容器は、開口を有する容器本体と、開口に設けられた気密性のあるフィルムとを備え、採取針をフィルムに突き刺して前記開口に挿入し、容器本体内の液体を採取可能な液体容器であって、
フィルムは、エラストマーから成り、開口全体を覆うように容器本体に貼着されることによって、開口を密閉することを特徴とする。
【０００９】
好ましくは、フィルムが、前記開口の縁に貼着される。
【００１０】
好ましくは、フィルムが、溶着されている。
【００１１】
好ましくは、フィルムを保護する保護部材を備え、保護部材は、十字状のスリットを備え、十字状のスリットの中心部に採取針を通す。
【考案の効果】
【００１２】
本考案では、エラストマーから成るフィルムを容器本体の開口全体を覆うようにして、容器本体に貼着する。すなわち、エラストマーから成るフィルムが、採取針を容器内へ挿入するための針刺部として機能するだけでなく、容器本体の開口を密閉する機能を果たしている。この構成では、容器本体内の液体を採取するために、採取針を突刺し、抜出したとしても、エラストマーの高い弾性および復元性により、採取針によってフィルムに形成された孔は閉じる。そして、採取針を突刺した後も、液体容器内の液体が蒸散して液体容器外へ漏出することを防止できる。
【００１３】
このように、エラストマーから成るフィルムによって開口を密閉することで、従来のように、複雑な構成のキャップにより容器の開口を密閉する構成を不要としながらも、高い蒸散防止性を維持できる。そして、液体容器全体のコストを低くすることができる。
【図面の簡単な説明】
【００１４】
【図１】本考案に係る液体容器を示す斜視図である。
【図２】本考案に係る液体容器の容器本体を示す図であって、図２Ａは平面図、図２Ｂは正面図、図２Ｃは図２ＡのＡ−Ａ’線断面図である。
【図３】本考案に係る液体容器の保護部材を示す図であって、図３Ａは平面図、図３Ｂは正面図、図３Ｃは図３ＡのＡ−Ａ’線断面図である。
【図４】容器本体に保護部材を取り付ける様子を示す断面図であって、図４Ａは取り付け途中を示す図で、図４Ｂは取り付けた状態を示す図である。
【考案を実施するための形態】
【００１５】
本発明に係る液体容器１は、図１に示さるように、容器本体２および保護部材３とで構成される。容器本体２は、図２に示されるように、液体５を収容するためのもので、直方形状に構成され上面に開口２０を有する。この開口２０から容器本体２に液体５を入れ、収容する。この容器本体２は、剛性の樹脂材料、例えば、硬質のポリエチレン、硬質のポリプロピレンなどから成る。なお、液体容器１の形状は直方形状に限られず、他の形状であってもよい。
【００１６】
さらに、液体容器１は、容器本体２の開口２０に、気密性のあるフィルム４を備える。このフィルム４は、スチレン系熱可塑性系エラストマーから成り、本実施例では、エラストマーの機械的強度が、
デュロ硬度Ａ：２５（ＪＩＳ Ｋ６２５３−１９９３）、
引張破壊強さ：５ＭＰａ（ＪＩＳ Ｋ６２５１−１９９３）、
引張破壊伸び：７８０％（ＪＩＳ Ｋ６２５１−１９９３、３号試験片、試験速度５５０ｍｍ／ｍｉｎ）、
圧縮永久歪み：３７％（ＪＩＳ Ｋ６２６２−１９９３、７０℃、２２時間）、
であるものを用いた（カッコ内は、試験法および試験条件を示す）。ただし、エラストマーは、上記のものに限定されるものではない。
【００１７】
各図面では、考案の理解を容易にするためにフィルム４の厚さを誇張して表現しているが、フィルム４の厚さは４００μｍ程度である。ただし、フィルム４の厚さはこの値に限定されるものではない。
【００１８】
エラストマーから成るフィルム４は、容器本体２の開口２０を覆うように容器本体２に貼着され、容器本体２の開口２０を密閉する。具体的には、容器本体２の開口２０を覆うのに十分な大きさのフィルム４を、例えばフッ素樹脂加工のアイロンを用いて、熱によって開口２０の縁２１（図２Ａ）に溶着する。これにより、フィルム４と縁２１との間に隙間がないようにフィルム４は溶着され、容器本体２の開口２０が密閉される。したがって、容器本体２に収容された液体５が、液体容器１の外に漏出、蒸発することを防止し、液体容器１の密閉性を確保することができる。そして、容器本体２内の液体５を採取するときには、液体５を採取するための採取針（図示せず）を、このフィルム４に突刺し、開口２０に挿入する。
【００１９】
液体容器１は、図３に示されるように、フィルム４を保護するための保護部材３を備える。この保護部材３は、容器本体２の上面に貼着されたフィルム４をカバーするための矩形状のカバー部３０と、保護部材３を容器本体２に取り付けるための一対の取付部３１ａ、３１ｂ（図３Ｂ、図３Ｃ）とで構成される。取付部３１ａ、３１ｂとカバー部３０とは、一体的に形成される。保護部材３は、後述する容器本体２との取り付けのために、可撓性のある樹脂材料で構成することが好ましい。
【００２０】
カバー部３０は、その中央に横断面が円形状の凹部３２が形成される。そして、この凹部３２の底面には、十字状のスリット３３が形成される。採取針は、十字状のスリット３３の中心部を通ってカバー部３０を通過し、容器本体１内に導入される。
【００２１】
取付部３１ａ、３１ｂは、カバー部３０の両端から下方にのびるように設けられている。取付部３１ａ、３１ｂは、容器本体２への取り付けのために一対の突出部３４ａ、３４ｂを備える。突出部３４ａ、３４ｂは、互いに対向するように形成されている。
【００２２】
容器本体２は、図２Ｂ、図２Ｃに示すように、上記構成の保護部材３を取付可能とするために、一対の側面２２ａ、２２ｂのそれぞれに、保護部材３の突出部３４ａ、３４ｂを受けるための取付凹部２３ａ、２３ｂが形成される。さらに、容器本体２は、突出部３４ａ、３４ｂを取付凹部２３ａ、２３ｂへ案内するための傾斜面２４ａ、２４ｂを備える。傾斜面２４ａ、２４ｂは、取付凹部２３ａ、２３ｂの上側に形成され、上面から側面２２ａ、２２ｂにかけて傾斜する。
【００２３】
上記構成からなる容器本体２と保護部材３とにおいて、カバー部３０の突出部３４ａ、３４ｂを傾斜面２４ａ、２４ｂの上方に位置させて、保護部材３を容器本体２へ向かって押し込む。すると、図４Ａに示すように、突出部３４ａ、３４ｂは傾斜面２４ａ、２４ｂに沿って移動し、取付凹部２３ａ、２３ｂにまで案内される。そして、突出部３４ａ、３４ｂのそれぞれが各取付凹部２３ａ、２３ｂに嵌り込み、保護部材３が容器本体２へ取付けられる（図４Ｂ）。このようにして、図１に示すような、液体容器１が構成される。
【００２４】
保護部材３を容器本体２へ取り付けると、カバー部３０は開口２０に設けられたフィルム４全体を覆うので、フィルム４が外的な衝撃などによって裂けたり、破れたりすることを防止し、フィルム４を保護することができる。
【００２５】
上記構成の液体容器１において、容器本体２に収容された液体５を採取するときは、採取針を保護部材３の十字状スリット３３の中心部を通してフィルム４に突刺し、開口２０から容器本体２内へ挿入する。そして、採取針により液体５を採取した後は、採取針を容器本体２から抜き出す。
【００２６】
採取針の突刺・抜出によりフィルム４に貫通孔が形成される。しかしながら、このフィルム４を構成するエラストマーの弾性および復元性により、迅速にフィルム４の貫通孔は封止される。そのため、採取針を突刺した後も、容器本体２の密閉状態が維持され、蒸散防止性が確保される。さらに、エラストマーの高い機械的強度によって、複数回に渡って採取針を突刺したとしても、フィルム４は裂け難く、高い蒸散防止性を持続することが可能である。
【００２７】
このとき、カバー部３０の十字状のスリット３３は、採取針が常にフィルム４の所定の個所を突刺するように、採取針を案内する役割をしている。すなわち、採取針を十字スリット３３の中心部を通すことで、採取針が常にフィルム４の中心位置を突刺できるようになっている。
【００２８】
[蒸散防止性の比較実験]
上記構成からなる本考案の液体容器１、すなわちエラストマーから成るフィルム４を溶着した液体容器１と、上記構成の保護部材および容器本体を備え、ポリプロピレンから成るフィルムを溶着した液体容器（以下、比較品という）とで、蒸散防止性の比較実験を行った。
本考案の液体容器を２つ、比較品を２つ準備し、それぞれにアレルゲン液を収容し、溶着された各フィルムに採取針を一回突刺した。そしてこれらを、室温が１０℃に維持された冷蔵庫に入れて保存した。保存期間は、５６日間と、８２日間である。そして、保存開始時および保存期間経過後の液面の高さｈ（図４Ｂ参照）をノギスで測定することで、蒸散防止性を確認した。なお、保存開始前の本考案の液体容器および比較品におけるアレルゲン液の液面高さｈは、１４．０ｍｍである。５６日間保存したもの表１に、８２日間保存したものを表２に示す。表中の保持率（％）は、（（保存後の液面高さ）／（開始時の液面高さ））×１００によって算出される値である。
【００２９】
【表１】
0003167723.tif 000003
【００３０】
【表２】
0003167723.tif 000004
【００３１】
表１、表２に示されるように、比較品の保持率は、５６日間保存した場合では約６７％、８２日間保存した場合では約５４％と、時間の経過とともにアレルゲン液の保持率が低下していることがわかる。これは、容器内のアレルゲン液が蒸散し、採取針によってポリプロピレンフィルムに形成された貫通孔から、容器外へ漏出したためと考えられる。これに対して、本考案に係る液体容器１では、５６日間保存した場合、さらに８２日間保存した場合でも、保持率は１００％であった。これは、採取針によってエラストマーフィルム４に形成された貫通孔が、エラストマーの弾性および復元性によって閉じ、再び容器の密閉性が確保されたものと考えられる。
【００３２】
すなわち、本考案に係る液体容器１では、採取針をフィルム４に突刺した後でも、非常に高い蒸散防止効果を得られることが明らかとなった。そして、蒸散防止効果を得るために従来のように複雑な構成のキャップを設ける必要がなく、結果、液体容器１全体のコストを低くすることができる。
【符号の説明】
【００３３】
１  液体容器
２  容器本体
２０  開口
２１  縁
２２ａ、２２ｂ  側面
２３ａ、２３ｂ  取付凹部
２４ａ、２４ｂ  傾斜面
３  保護部材
３０  カバー部
３１ａ、３１ｂ  取付部
３２  凹部
３３  十字状スリット
３４ａ、３４ｂ  突出部
４  エラストマーフィルム
５  液体
ｈ  液面の高さ
【図１】
0003167723.tif 000005
【図２】
0003167723.tif 000006
【図３】
0003167723.tif 000007
【図４】
0003167723.tif 000008